(57)【要約】      （修正有）【課題】天井灯及び埋込灯の取付け方式が単一であった従来の問題を改善する天井灯・埋込灯両用クイック装着ランプを提供する。【解決手段】天井灯・埋込灯両用クイック装着ランプは、頂板、メインハウジング、装着部材、出光板４０、光源装置５０、遮光板６０及び透光板７０を備える。頂板は、メインハウジング上に取り付けられる。装着部材は、頂板の頂面上に取り付けられる。出光板４０は、メインハウジングの下端面に取り付けられるとともに、メインハウジング、頂板と一緒に取り囲んで収容空間が形成される。光源装置５０、透光板７０及び遮光板６０は、収容空間内にそれぞれ配設される。遮光板６０は、透光板７０の真上に配設される。光源装置５０は、環状に設けられるとともに、外表面がメインハウジングの内側面に接合され、内表面が透光板７０の外周に沿って取り囲むように設けられる。【選択図】図２
0003224983.tif 000002
【実用新案登録請求の範囲】
【請求項１】
頂板、メインハウジング、装着部材、出光板、光源装置、遮光板及び透光板を備えた、天井灯・埋込灯両用クイック装着ランプであって、
前記頂板は、前記メインハウジング上に取り付けられ、
前記装着部材は、前記頂板の頂面上に取り付けられ、
前記出光板は、前記メインハウジングの下端面に取り付けられるとともに、前記メインハウジング、前記頂板と一緒に取り囲んで収容空間が形成され、前記光源装置、前記透光板及び前記遮光板は、前記収容空間内にそれぞれ配設され、
前記遮光板は、前記透光板の真上に配設され、
前記光源装置は、環状に設けられるとともに、外表面が前記メインハウジングの内側面に接合され、内表面が前記透光板の外周に沿って取り囲むように設けられ、
前記透光板は、前記出光板の上方に、前記出光板と離隔されて配設され、
前記装着部材は、第１の装着部材及び第２の装着部材を含み、
前記第１の装着部材及び前記第２の装着部材のうちの一つは前記頂板上に取り付けられることを特徴とする天井灯・埋込灯両用クイック装着ランプ。
【請求項２】
前記第２の装着部材は、弾性部材、上固定板、下固定板及び螺合部材を有し、
前記上固定板及び前記下固定板は、前記頂板の上下両側にそれぞれ配設されて前記螺合部材により螺設され、
前記弾性部材の中央部は、前記上固定板上に取り付けられることを特徴とする請求項１に記載の天井灯・埋込灯両用クイック装着ランプ。
【請求項３】
前記弾性部材はＶ字状に形成され、
前記弾性部材の両端部には、フックがそれぞれ設けられ、
前記弾性部材の中央部底端は、前記上固定板上に取り付けられることを特徴とする請求項２に記載の天井灯・埋込灯両用クイック装着ランプ。
【請求項４】
前記頂板の頂面上には、凸台と、前記凸台の外側に設けられた複数の係合弾片と、が設けられ、
前記凸台の外側面には、複数の位置決め突起部が設けられ、
前記第１の装着部材上には、上弾片が設けられ、
前記上弾片は、前記位置決め突起部と前記係合弾片との間に係合されることを特徴とする請求項１に記載の天井灯・埋込灯両用クイック装着ランプ。
【請求項５】
前記位置決め突起部は、長尺状に形成されるとともに、導入端及び位置決め端を有し、前記導入端から前記位置決め端にかけて下斜め前方に傾斜して延びて形成されることを特徴とする請求項４に記載の天井灯・埋込灯両用クイック装着ランプ。
【請求項６】
前記係合弾片上には、位置決め先端が設けられ、
前記位置決め先端の位置は、前記係合弾片の他の部分より高く、前記位置決め先端の両側には、ガイド斜面がそれぞれ設けられていることを特徴とする請求項４に記載の天井灯・埋込灯両用クイック装着ランプ。
【請求項７】
前記第１の装着部材は、幾何学的形状に形成され、
前記第１の装着部材の両側の内側壁上には、互いに対向して延びる前記上弾片が設けられ、
前記上弾片は、接続端から自由端にかけて徐々に上斜め前方に傾斜して延びることを特徴とする請求項４に記載の天井灯・埋込灯両用クイック装着ランプ。
【請求項８】
前記メインハウジングは、環状に形成され、
前記メインハウジングの上方内側面には、第１の位置決めステップ部が設けられ、
前記頂板は、前記第１の位置決めステップ部上を閉じ、前記第１の位置決めステップ部により位置決めされることを特徴とする請求項１に記載の天井灯・埋込灯両用クイック装着ランプ。
【請求項９】
前記メインハウジングの内側下方には、第２の位置決め部が設けられ、
前記第２の位置決め部上には、位置決め槽が形成され、
前記位置決め槽内には、パッキンが装着され、
前記出光板の外周辺は、前記パッキン内に嵌合され、
前記透光板は、前記パッキンの頂面上に架設されることを特徴とする請求項１に記載の天井灯・埋込灯両用クイック装着ランプ。
【請求項１０】
前記メインハウジングの上端面には、下方向へ延びた複数の凹槽が形成され、
前記凹槽と前記メインハウジングの中空状のチャンバとの間には、分離プレートが形成され、
前記光源装置は、前記分離プレートの内表面に配設されることを特徴とする請求項１に記載の天井灯・埋込灯両用クイック装着ランプ。
【考案の詳細な説明】
【技術分野】
【０００１】
本考案は、ランプに関するものであり、さらに詳しくは、天井灯・埋込灯両用クイック装着ランプに関するものである。
【背景技術】
【０００２】
装飾ランプの分野が発展するに伴い、天井灯及び埋込灯は、次第に自宅、事務室、レジャー施設など各種環境で広く利用されてきている。天井灯（シーリングライトとも称す。）は、天井板上に直接取り付けられたランプであり、ベース、ランプホルダ、メインハウジング、光源などから構成されてなる。埋込灯とは、埋込式で取り付けられ、その他装着装置により天井又は壁上に固定されたランプである。しかし、従来の小型の天井灯又は埋込灯は、単一の取付方式しか無かったため、天井灯又は埋込灯としてしか使用することができず、実用的でなかった。
【考案の概要】
【考案が解決しようとする課題】
【０００３】
従って、本考案の主な課題は、天井灯及び埋込灯の取付け方式が単一であった従来の問題を改善する天井灯・埋込灯両用クイック装着ランプを提供することにある。
【課題を解決するための手段】
【０００４】
そこで、本考案者は、前記の本考案の課題を解決するために鋭意検討を重ねた結果、後述においても示すように、
【０００５】
かくして、本考案の要旨は、次の（１）〜（１０）に記載の通りのものである。
（１）頂板、メインハウジング、装着部材、出光板、光源装置、遮光板及び透光板を備えた、天井灯・埋込灯両用クイック装着ランプであって、前記頂板は、前記メインハウジング上に取り付けられ、前記装着部材は、前記頂板の頂面上に取り付けられ、前記出光板は、前記メインハウジングの下端面に取り付けられるとともに、前記メインハウジング、前記頂板と一緒に取り囲んで収容空間が形成され、前記光源装置、前記透光板及び前記遮光板は、前記収容空間内にそれぞれ配設され、前記遮光板は、前記透光板の真上に配設され、前記光源装置は、環状に設けられるとともに、外表面が前記メインハウジングの内側面に接合され、内表面が前記透光板の外周に沿って取り囲むように設けられ、前記透光板は、前記出光板の上方に、前記出光板と離隔されて配設され、前記装着部材は、第１の装着部材及び第２の装着部材を含み、前記第１の装着部材及び前記第２の装着部材のうちの一つは前記頂板上に取り付けられることを特徴とする天井灯・埋込灯両用クイック装着ランプ。
【０００６】
（２）前記第２の装着部材は、弾性部材、上固定板、下固定板及び螺合部材を有し、前記上固定板及び前記下固定板は、前記頂板の上下両側にそれぞれ配設されて前記螺合部材により螺設され、前記弾性部材の中央部は、前記上固定板上に取り付けられることを特徴とする前記（１）に記載の天井灯・埋込灯両用クイック装着ランプ。
【０００７】
（３）前記弾性部材はＶ字状に形成され、前記弾性部材の両端部には、フックがそれぞれ設けられ、前記弾性部材の中央部底端は、前記上固定板上に取り付けられることを特徴とする前記（２）に記載の天井灯・埋込灯両用クイック装着ランプ。
【０００８】
（４）前記頂板の頂面上には、凸台と、前記凸台の外側に設けられた複数の係合弾片と、が設けられ、前記凸台の外側面には、複数の位置決め突起部が設けられ、前記第１の装着部材上には、上弾片が設けられ、前記上弾片は、前記位置決め突起部と前記係合弾片との間に係合されることを特徴とする前記（１）に記載の天井灯・埋込灯両用クイック装着ランプ。
【０００９】
（５）前記位置決め突起部は、長尺状に形成されるとともに、導入端及び位置決め端を有し、前記導入端から前記位置決め端にかけて下斜め前方に傾斜して延びて形成されることを特徴とする前記（４）に記載の天井灯・埋込灯両用クイック装着ランプ。
【００１０】
（６）前記係合弾片上には、位置決め先端が設けられ、前記位置決め先端の位置は、前記係合弾片の他の部分より高く、前記位置決め先端の両側には、ガイド斜面がそれぞれ設けられていることを特徴とする前記（４）に記載の天井灯・埋込灯両用クイック装着ランプ。
【００１１】
（７）前記第１の装着部材は、幾何学的形状に形成され、前記第１の装着部材の両側の内側壁上には、互いに対向して延びる前記上弾片が設けられ、前記上弾片は、接続端から自由端にかけて徐々に上斜め前方に傾斜して延びることを特徴とする前記（４）に記載の天井灯・埋込灯両用クイック装着ランプ。
【００１２】
（８）前記メインハウジングは、環状に形成され、前記メインハウジングの上方内側面には、第１の位置決めステップ部が設けられ、前記頂板は、前記第１の位置決めステップ部上を閉じ、前記第１の位置決めステップ部により位置決めされることを特徴とする前記（１）に記載の天井灯・埋込灯両用クイック装着ランプ。
【００１３】
（９）前記メインハウジングの内側下方には、第２の位置決め部が設けられ、前記第２の位置決め部上には、位置決め槽が形成され、前記位置決め槽内には、パッキンが装着され、前記出光板の外周辺は、前記パッキン内に嵌合され、前記透光板は、前記パッキンの頂面上に架設されることを特徴とする前記（１）に記載の天井灯・埋込灯両用クイック装着ランプ。
【００１４】
（１０）前記メインハウジングの上端面には、下方向へ延びた複数の凹槽が形成され、前記凹槽と前記メインハウジングの中空状のチャンバとの間には、分離プレートが形成され、前記光源装置は、前記分離プレートの内表面に配設されることを特徴とする前記（１）に記載の天井灯・埋込灯両用クイック装着ランプ。
【考案の効果】
【００１５】
本考案に係る天井灯・埋込灯両用クイック装着ランプは、第１の装着部材及び第２の装着部材を設置することにより、ユーザは必要に応じて装着方式を柔軟に選択でき、天井灯以外に埋込灯としても使用することができ、迅速かつ容易に装着することができ、低コストである。また、実際に装着する際、多くの工具は必要でなく、スクリュードライバーだけを使用するか、或いは道具を全く使用しなくてもランプを容易に取り付けることができる。そのため、実用的で普及させる価値がある。
【図面の簡単な説明】
【００１６】
【図１】図１は、本考案の一実施形態に係る天井灯・埋込灯両用クイック装着ランプの装着部材が見えない状態を示す斜視図である。
【図２】図２は、図１のランプを示す断面斜視図である。
【図３】図３は、図１のランプを天井灯として用いたときの状態を示す斜視図である。
【図４】図４は、図３の天井灯を示す分解斜視図である。
【図５】図５は、図１のランプを埋込灯として用いたときの状態を示す斜視図である。
【図６】図６は、図５の第２の装着部材を示す斜視図である。
【考案を実施するための形態】
【００１７】
以下、図面を用いて本考案を具体的に説明する。もっとも本考案は、かかる図面等により限定されるものではない。
図１〜図６を参照する。図１〜図６に示すように、本考案の一実施形態に係る天井灯・埋込灯両用クイック装着ランプは、少なくとも頂板１０、メインハウジング２０、装着部材、出光板４０、光源装置５０、遮光板６０及び透光板７０から構成されてなる。上述した頂板１０は、メインハウジング２０上に取り付けられる。装着部材は、頂板１０の頂面上に取り付けられる。上述した出光板４０は、メインハウジング２０の下端面に取り付けられるとともに、メインハウジング２０、頂板１０と一緒に取り囲んで収容空間が形成される。上述した光源装置５０、透光板７０及び遮光板６０は、上述した収容空間内に配設される。光源装置５０は、透光板７０を取り囲むようその周囲に設けられる。上述した遮光板６０は、透光板７０の真上に配設される。
【００１８】
上述したメインハウジング２０は、環状に形成される。メインハウジング２０の上方内側面には、第１の位置決めステップ部２１が設けられる。頂板１０は、第１の位置決めステップ部２１を閉じ、上述した第１の位置決めステップ部２１により位置決めされる。上述したメインハウジング２０の内側下方には、第２の位置決め部２２が設けられる。上述した出光板４０は、第２の位置決め部２２上に架設され、第２の位置決め部２２により位置決めされる。また、上述したメインハウジング２０の上端面には、下方向へ延びた複数の凹槽２３が形成され、隣り合う凹槽２３間には位置決め孔が形成される。上述した頂板１０は、締結具を介して上述した位置決め孔内に螺設される。
【００１９】
上述した光源装置５０は、環状のＬＥＤランププレート５１と、ＬＥＤランププレート５１の内側面上に配設された複数のＬＥＤ球５２と、を含む。上述したＬＥＤランププレート５１の外表面は、上述したメインハウジング２０の内側面に接合される。上述した第２の位置決め部２２上には、位置決め槽が形成される。上述した位置決め槽内には、パッキン８０が装着される。上述したパッキン８０の内側面上には、装着槽が形成される。上述した出光板４０の外周辺は、上述した装着槽内に嵌合される。上述した透光板７０は、上述したパッキン８０の頂面上に架設され、パッキン８０により出光板４０と離隔される。上述した遮光板６０は、透光板７０と頂板１０との間に配設される。
【００２０】
また、上述した頂板１０の頂面中央部には、凸台１１が設けられる。上述した凸台１１は、円柱状に成形され、凸台１１の外側面には、２つの位置決め突起部１２が設けられる。上述した位置決め突起部１２は、弧形状かつ長尺状に形成され、導入端及び位置決め端を有する。位置決め突起部１２は、導入端から位置決め端にかけて下斜め前方に傾斜して延びて形成される。位置決め端の下方には、位置決めするために用いる当て板１７が設けられる。上述した凸台１１外側の頂板１０上には、２つの弧状凹溝１３が形成される。上述した弧状凹溝１３内には、係合弾片１４が着脱可能に設けられる。上述した係合弾片１４の両端は、ねじにより頂板１０上に取り付けられる。係合弾片１４上には、位置決め先端１５が設けられる。位置決め先端１５の位置は、係合弾片１４の他の部分より高く、位置決め先端１５の両側には、ランプが係合固定し易いように、ガイド斜面１６がそれぞれ設けられている。
【００２１】
上述した装着部材は、第１の装着部材３１及び第２の装着部材３２を含み、ユーザは必要に応じてそのうちの一つを選択して取り付けてもよい。上述した第１の装着部材３１は、幾何学的形状に形成された壁板でもよい。第１の装着部材３１の両側には、装着部３１１がそれぞれ設けられる。上述した装着部３１１の内側には、中心に向かって延びた上弾片３１２及び延伸片３１３が延設されている。上述した上弾片３１２は、上述した位置決め突起部１２にそれぞれ対応するように設けられる。上述した上弾片３１２の接続端から自由端にかけて徐々に上斜め前方に傾斜する。上述した延伸片３１３は、水平に延びる。ランプを天井灯として用いる場合、まず、壁板３１を天井に螺設してから天井灯をねじ込んで壁板３１に係合させる。上述した壁板３１上の延伸片３１３及び上弾片３１２は、位置決め突起部１２の導入端から下方向の位置決め端に向かって係入され、延伸片３１３を上弾片３１２に係入させる。上述した係合弾片１４の位置決め先端１５を壁板３１の底面上に上向きに当接させ、天井灯を壁板３１上に取り付けてもよい。
【００２２】
上述した第２の装着部材３２の数は２組であり、対称に設けられている。第２の装着部材３２は、弾性部材３３、上固定板３４、下固定板３５及び螺合部材３６を含む。上述した弾性部材３３はＶ字状に形成される。弾性部材３３の両端部には、フック３３１がそれぞれ設けられる。上述した上固定板３４は、Ｌ字状に形成される。上述した上固定板３４及び下固定板３５は、頂板１０の上下両側にそれぞれ配設される。上述した弾性部材３３の中央部底端は、上述した上固定板３４上に取り付けられる。第２の装着部材３２を取り付ける前に、下固定板３５が既に螺合部材３６により頂板１０内に螺設され、弾性部材が上固定板３４上に取り付けられる。第２の装着部材３２を取り付けるときは、螺合部材３６により上固定板３４を下固定板３５上に直接螺設するだけでよい。ランプを埋込灯として使用するときは、弾性部材３３を壁内の嵌合内に嵌入させてから、弾性部材３３を両側へ開いて回転させると、弾性部材３３の両端のフック３３１が嵌合孔内の対応した係合部材上に係合されるため、ランプを埋込灯として用いて固定させることができるだけでなく、ランプが薄い特性を有するため、壁又は天井に嵌合孔を深く形成する必要がない。
【００２３】
上述したことから分かるように、本考案の天井灯・埋込灯両用クイック装着ランプは、第１の装着部材及び第２の装着部材を設置することにより、ユーザは必要に応じて装着方式を柔軟に選択でき、天井灯以外に埋込灯としても使用することができ、迅速かつ容易に装着することができ、低コストである。また、実際に装着する際、多くの工具は必要なく、スクリュードライバーだけを使用するか或いは道具を全く使用しなくてもランプを容易に取り付けることができる。そのため、実用的で普及させる価値がある。
【００２４】
当該分野の技術を熟知する者が理解できるように、本考案の好適な実施形態を前述の通り開示したが、これらは決して本考案を限定するものではない。本考案の主旨と領域を逸脱しない範囲内で各種の変更や修正を加えることができる。従って、本考案に係る実用新案登録請求の範囲は、このような変更や修正を含めて広く解釈されるべきである。
【符号の説明】
【００２５】
１０  頂板
１１  凸台
１２  位置決め突起部
１３  弧状凹溝
１４  係合弾片
１５  位置決め先端
１６  ガイド斜面
１７  当て板
２０  メインハウジング
２１  第１の位置決めステップ部
２２  第２の位置決め部
２３  凹槽
３１  第１の装着部材（壁板）
３２  第２の装着部材
３３  弾性部材
３４  上固定板
３５  下固定板
３６  螺合部材
４０  出光板
５０  光源装置
５１  ＬＥＤランププレート
５２  ＬＥＤ球
６０  遮光板
７０  透光板
８０  パッキン
３１１  装着部
３１２  上弾片
３１３  延伸片
３３１  フック
【図１】
0003224983.tif 000003
【図２】
0003224983.tif 000004
【図３】
0003224983.tif 000005
【図４】
0003224983.tif 000006
【図５】
0003224983.tif 000007
【図６】
0003224983.tif 000008